(57)【要約】【課題】  絶縁部の組立が容易であり、且つ安価なスピンドルモータを提供すること。【解決手段】  ステータ８０の巻線部８３の上側に、絶縁シート９０を貼り付ける。この絶縁シート９０は円環部９１の外側突部９２とこの外側突部９２の半径方向の反対側に内側突部９３を有する。そして、この内側突部９３を内周縁を折り目として、外側突部９２および開口穴９５を覆うように折り曲げる。この外側突部９２の上面には、粘着剤９６が塗布されているので、接触させるのみで固定することができる。【選択図】  図８
2006223041.tif 000002
【特許請求の範囲】
【請求項１】
固定部材に支持され、放射状に配置された複数個のティース、各前記ティースを連結するコアバックおよび各前記ティースに巻回された巻線を有するステータと、
前記固定部材に対して回転自在に支持され、前記ステータの前記ティースに径方向に対向するロータマグネットを有するロータと、
前記ステータの軸線方向一面側に配置され、各巻線部分を覆う絶縁性のカバー部材と、を備え、
前記カバー部材には、前記巻線をカバー部材の軸線方向他面側から軸線方向一面側に案内する案内孔が設けられ、その一部を折り返すことによって少なくとも前記案内孔から前記カバー部材の軸線方向一面側に案内した前記巻線の少なくとも一部を軸線方向一面側から覆う折り返し片が一体に設けられていることを特徴とするスピンドルモータ。
【請求項２】
前記ステータの前記コアバックは、前記各ティースの径方向外側の端部を連結する円環状に形成され、前記ロータのマグネットは、前記各ティースの径方向内側において対向していることを特徴とする請求項１に記載のスピンドルモータ。
【請求項３】
前記ロータには、円盤状記録ディスクの中心孔が挿通されるディスク案内筒部と該ディスクの内周縁部を保持するディスク載置部とを有しており、前記ステータと前記ディスク載置部とに保持された前記ディスクとの間に導電性磁気シールド部材が前記コイルを覆うように配置されていることを特徴とする請求項１および請求項２のいずれかに記載のスピンドルモータ。
【請求項４】
前記カバー部材の外縁の一部には、半径方向外側に延びる第一突部が形成され、
前記固定部材における前記コアバックの外周縁の半径方向外側には、該第一突部を収容する凹部が形成されていることを特徴とする請求項１乃至請求項３のいずれかに記載のスピンドルモータ。
【請求項５】
前記カバー部材には、前記固定部材の前記凹部より半径方向内側に位置するように前記案内孔が形成されていることを特徴とする請求項４に記載のスピンドルモータ。
【請求項６】
前記カバー部材の内周縁の半径方向内側には、前記第一突部と半径方向に対称となり、前記案内孔および前記案内孔の一面側に案内された前記巻線の少なくとも一部を覆う前記面部となる第二突部が形成されていることを特徴とする請求項４および請求項５のいずれかに記載のスピンドルモータ。
【請求項７】
前記第二突部は内縁を折り目として半径方向外側に折り曲げることにより前記案内孔および前記第一突部の少なくとも一部を覆うことを特徴とする請求項６に記載のスピンドルモータ。
【請求項８】
前記面部は前記第一突部と隣接して形成され、前記第一突部の外周の一端を折り目として前記案内孔より一面側に案内された前記巻線の少なくとも一部が覆われることを特徴とする請求項４および請求項５のいずれかに記載のスピンドルモータ。
【請求項９】
前記案内孔は、周方向に沿って延びる楕円形状であることを特徴とする請求項１乃至請求項８のいずれかに記載のスピンドルモータ。
【請求項１０】
前記カバー部材は、円環形状であり、該円環部の少なくとも一部に半径方向に延びる切れ目が設けられていることを特徴とする請求項１乃至請求項９のいずれかに記載のスピンドルモータ。
【請求項１１】
前記固定部材の前記凹部における径方向外側に設けられた貫通孔と、
該貫通孔と対応する前記第一突部に設けられた開口穴と、
前記凹部の他面側に配置された回路基板とを有し、
前記案内孔より案内された前記巻線は、前記開口穴および前記貫通孔を通り、前記回路基板に接続されることを特徴とする請求項４乃至請求項１０のいずれかに記載のスピンドルモータ。
【請求項１２】
前記カバー部材は、ポリエステル樹脂にて形成されていることを特徴とする請求項１乃至請求項１１のいずれかに記載のスピンドルモータ。
【請求項１３】
前記磁気シールド部材は、磁性体の鋼板にて形成されていることを特徴とする請求項３乃至請求項１２のいずれかに記載のスピンドルモータ。
【請求項１４】
請求項１乃至請求項１３のいずれかに記載のスピンドルモータを搭載したことを特徴とする記録ディスク駆動装置。
【発明の詳細な説明】
【技術分野】
【０００１】
本発明は、薄型のスピンドルモータおよびこのスピンドルモータを搭載した記録ディスク装置に関する。特にインナー型スピンドルモータに関する。
【背景技術】
【０００２】
ハードディスク駆動装置等の信号記録再生装置における携帯化に伴い、パーソナルコンピュータ以外にも使用されるようになり多様化が進んでいる。しかし近年、特に携帯用の小型の信号記録再生装置メーカー数の増加により競争が激化しており、信号記録再生装置の価格競争による低価格化が発生すると予測される。それに伴う信号記録再生装置に搭載されるスピンドルモータ、特に小型の信号記録再生装置に搭載される薄型のスピンドルモータの低価格化への対応は必須となる。
【０００３】
スピンドルモータ（以下、モータとする）は記録ディスク載置面を有するロータハブおよびその外周に固定されたロータマグネットを含むロータ部分と回転軸と同軸にありロータハブに固定されるシャフトおよびシャフトを回転自在に支持する軸受装置、ロータマグネットと半径方向に間隙を介して対向配置されるステータおよびこれらを収容するベースから形成される。
【０００４】
このステータの上面には、ロータマグネットとステータとの間隙からの磁束漏洩を防ぐシールド板とこのシールド板とステータとの短絡を防ぐ絶縁シートがステータの上面に固定配置されている（このような従来のスピンドルモータの構成として、例えば、特許文献１参照）。
【０００５】
また図１１は絶縁シート（図示せず）およびシールド板（図示せず）を配置する前のモータAの上面図である。
【０００６】
図１１を参照して、モータＡの周囲には、ステータＢが配置されるようにベースＣに収容されている。そしてステータＢのコアバック部Ｂ１の半径方向外側の一部には、凹部Ｃ１が設けられている。その凹部Ｃ１からベースＣの裏側に外部と電気的接続を行うためのコネクタ（図示せず）とステータＢの巻線Ｂ２とを接続する回路（図示せず）があり、この回路に巻線Ｂ２をもっていくためにはベースＣに通すが、そのベースＣと巻線Ｂ２との接触をなくすために絶縁フィルムＤをベースＣに固定させる。
【０００７】
【特許文献１】特開２００４−２８２８８０号公報
【発明の開示】
【発明が解決しようとする課題】
【０００８】
しかしながら、従来の構造では、絶縁シートと絶縁フィルムＤが別体であり、更に絶縁フィルムＤの部分では、その絶縁フィルムＤの上に巻線Ｂ２が通るので、この巻線を覆うように別途絶縁フィルム（図示せず）が必要であった。そのため、部材点数の増加および作業工数の増加によるモータの単価向上が問題視されていた。したがって、本発明は上記のような問題に鑑みてなされたものであり、その目的は、絶縁部の組立が容易であり、かつ安価なスピンドルモータを提供することである。
【課題を解決するための手段】
【０００９】
本発明の請求項１によれば、固定部材に支持され、放射状に配置された複数個のティース、各前記ティースを連結するコアバックおよび各前記ティースに巻回された巻線を有するステータと、前記固定部材に対して回転自在に支持され、前記ステータの前記ティースに径方向に対向するロータマグネットを有するロータと、前記ステータの軸線方向一面側に配置され、各巻線部分を覆う絶縁性のカバー部材とを備え、前記カバー部材には、前記巻線をカバー部材の軸線方向他面側から軸線方向一面側に案内する案内孔が設けられ、その一部を折り返すことによって少なくとも前記案内孔から前記カバー部材の軸線方向一面側に案内した前記巻線の少なくとも一部を軸線方向一面側から覆う折り返し片が一体に設けられていることを特徴とする。
【００１０】
本発明の請求項２によれば、請求項１に係り、前記ステータの前記コアバックは、前記各ティースの径方向外側の端部を連結する円環状に形成され、前記ロータのマグネットは、前記各ティースの径方向内側において対向していることを特徴とする。
【００１１】
本発明の請求項３によれば、請求項１および請求項２のいずれかに係り、前記ロータには、円盤状記録ディスクの中心孔が挿通されるディスク案内筒部と該ディスクの内周縁部を保持するディスク載置部とを有しており、前記ステータと前記ディスク載置部とに保持された前記ディスクとの間に導電性磁気シールド部材が前記コイルを覆うように配置されていることを特徴とする。
【００１２】
本発明の請求項４によれば、請求項１乃至請求項３のいずれかに係り、前記カバー部材の外縁の一部には、半径方向外側に延びる第一突部が形成され、前記固定部材における前記コアバックの外周縁の半径方向外側には、該第一突部を収容する凹部が形成されていることを特徴とする。
【００１３】
本発明の請求項５によれば、請求項４に係り、前記カバー部材には、前記固定部材の前記凹部より半径方向内側に位置するように前記案内孔が形成されていることを特徴とする。
【００１４】
本発明の請求項６によれば、請求項４および請求項５のいずれかに係り、前記カバー部材の前記円環部の内周縁の半径方向内側には、前記第一突部と半径方向に対称となり、前記案内孔および前記案内孔の一面側に案内された前記巻線の少なくとも一部を覆う前記面部となる第二突部が形成されていることを特徴とする。
【００１５】
本発明の請求項７によれば、請求項６に係り、前記第二突部は内縁を折り目として半径方向外側に折り曲げることにより前記案内孔および前記第一突部の少なくとも一部を覆うことを特徴とする。
【００１６】
本発明の請求項８によれば、請求項４および請求項５のいずれかに係り、前記面部は前記第一突部と隣接して形成され、前記第一突部の外周の一端を折り目として前記案内孔より一面側に案内された前記巻線の少なくとも一部が覆われることを特徴とする。
【００１７】
本発明の請求項９によれば、請求項１乃至請求項８のいずれかに係り、前記案内孔は、周方向に沿って延びる楕円形状であることを特徴とする。
【００１８】
本発明の請求項１０によれば、請求項１乃至請求項９のいずれかに係り、前記カバー部材は、円環形状であり、該円環部の少なくとも一部に半径方向に延びる切れ目が設けられていることを特徴とする。
【００１９】
本発明の請求項１１によれば、請求項４乃至請求項１０のいずれかに係り、前記固定部材の前記凹部における径方向外側に設けられた貫通孔と、該貫通孔と対応する前記第一突部に設けられた開口穴と、前記凹部の他面側に配置された回路基板とを有し、前記案内孔より案内された前記巻線は、前記開口穴および前記貫通孔を通り、前記回路基板に接続されることを特徴とする。
【００２０】
本発明の請求項１２によれば、請求項４乃至請求項１１のいずれかに係り、前記カバー部材は、ポリエステル樹脂にて形成されていることを特徴とする。
【００２１】
本発明の請求項１３によれば、請求項３乃至請求項１２のいずれかに係り、前記磁気シールド部材は、磁性体の鋼板にて形成されていることを特徴とする。
【００２２】
本発明の請求項１４によれば、請求項１乃至請求項１３のいずれかに係り、記録ディスク駆動装置であって、請求項１乃至請求項１３のいずれかに記載のスピンドルモータを搭載したことを特徴とする。
【発明の効果】
【００２３】
本発明の請求項１によれば、カバー部材にあるステータの巻線を覆う面部が一体的に成形されることにより、巻線を覆うための新たな部材が不必要となり、部品点数の削減となって、モータ単価を低減することができる。
【００２４】
本発明の請求項３によれば、ステータの巻線と導電性材料の磁気シールド部材との間に絶縁性のカバー部材を、ステータ全体を覆わせることにより、巻線と磁気シールド部材との短絡を防ぐことができる。
【００２５】
本発明の請求項４乃至請求項８によれば、カバー部材の一部に突部を作製して、ベースの対応部に凹部の収容部を作製することにより、この部分に巻線を引き出してもベースと巻線とを短絡することを防ぐことができる。
【００２６】
また、このカバー部材の凹部よりも半径方向内側に案内孔を設けることにより、巻線が絶縁シートの下側よりベースと接触することなく、絶縁部材の上側に引き出すことができる。
【００２７】
またこの突部と反対側に更に突部を設け、この反対側の突部を折り曲げて、突部に覆わせることにより、この突部は完全に外部から遮断することができるので、高湿の環境においても、信頼性の高いモータを提供することができる。
【００２８】
また、突部の一端に隣接するように面部を成形しても同様の効果を得ることができる。
【００２９】
本発明の請求項９によれば、カバー部材の開口穴が周方向に長い楕円形状であることより巻線の引き出しの際に、巻線への応力が小さくなるので、巻線の欠損を防ぐことができる。
【００３０】
本発明の請求項１０によれば、カバー部材の円環部の一部に半径方向の切れ目を入れることにより、カバー部材をティースとティース間にて高さが異なるステータの上に配置する際に、カバー部材が撓んでシワが発生するが、この切れ目にシワを寄せることにより、カバー部材の浮きを防ぐことができる。
【００３１】
本発明の請求項１１によれば、固定部材の凹部および第一突部とにそれぞれ貫通孔および開口穴を設け、固定部材の反対側に回路基板を固定することにより、巻線は短絡することなく回路基板と接続することができる。
【００３２】
本発明の請求項１２によれば、ポリエステル樹脂は絶縁性に優れているので良好な絶縁が可能である。
【００３３】
本発明の請求項１３によれば、磁性体の鋼板により、ステータとロータ間より発生する磁束漏洩を防ぐことができる。
【００３４】
本発明の請求項１４によれば、請求項１乃至請求項１３のいずれかに記載のモータを使用することにより、信頼性の高いモータを提供することができる。
【発明を実施するための最良の形態】
【００３５】
＜スピンドルモータ全体構造＞
まず本発明に係るスピンドルモータの実施例の一形態に関して図１を参照して説明する。
【００３６】
スリーブ１０は略円筒形状であり、その外周面には、円筒状であり、その上部の一部より軸方向上側に向うに従い半径方向外側に広がるハウジング２０がスリーブ１０に固定されている。そしてハウジング２０の下端部２１には蓋をするようにプレート３０が固定されている。またスリーブ１０の内周面には、ロータハブ４０の軸体部４１が微少間隙を介して挿通し、回転自在に支持されている。この軸体部４１は中空状であり、この下端面４１aには、キャップ５０が固定されている。このキャップ５０は中央部５１が突形状である円板であり、この円板の外周縁５２はハウジング２０と半径方向に微少間隙を形成する。そしてこの円板部５３はスリーブ１０とプレート３０との軸方向の間に配置され、それぞれ軸方向に微少間隙を形成する。
【００３７】
ロータハブ４０は有蓋円筒状であり、ハウジング２０の上部を軸方向および半径方向に微少間隙を介する形で覆うように配置されている。また円筒部の一部は半径方向外側に水平に広がり記録ディスクを載置する載置面４２が形成されている。その載置面４２の軸方向下側にはさらに半径方向外側に延びる突部４３が設けられ、その突部４３と円筒部４４の外周面にて覆われるようにロータマグネット６０が固定されている。
【００３８】
ハウジング２０の下部の外周面には、ベース７０が固定されている。そしてそこのベース７０には、ロータマグネット６０と半径方向に微少間隙を介して配置されるようにステータ８０が固定されている。ステータ８０は複数のティース８１が放射状に配置され、これらティース８１を連結するように円環状のコアバック８２が形成される。そしてティース８１の周囲には、巻線８３が巻回される。この巻線８３を通電することにより、磁界が発生して、この磁界とロータマグネット６０とは相互作用し回転力を発生させる。
【００３９】
＜軸受について＞
本実施例のスピンドルモータの軸受は流体動圧軸受を用いている。この流体動圧軸受とは、軸体とスリーブとの間にオイル等の潤滑流体を介在させ、その潤滑流体に生ずる流体圧力を支持力とする軸受である。
【００４０】
スリーブ１０とロータハブ４０の軸体部４１との微少間隙およびロータハブ４０とハウジング２０の外周面との微少間隙の途中まで潤滑流体が途切れることなく満たされている。そしてハウジング２０の外周面とロータハブ４０の内周面との半径方向間隙に外気と潤滑流体が接触する気液界面Mが形成される。そしてスリーブ１０の内周面には、軸方向に隔てたそれぞれ上下ラジアル軸受部１１、１２が形成される。それぞれの軸受部には動圧溝１１a、１２aがそれぞれ形成される。またスリーブ１０の下端面１３にはスラスト軸受部１４が形成され、この軸受部には動圧溝１４aが形成される。またハウジング２０の上端面にはスラスト軸受部２２が形成され、この軸受には動圧溝２２aが形成される。これら各軸受の流体圧力により安定した回転が実現される。
【００４１】
＜ステータより軸方向上側の構造＞
図２はステータから記録ディスクまでの軸方向の関係について示した図である。
【００４２】
ステータ８０の巻線８３の軸方向上側には、絶縁シート９０が例えば接着により固定されている。そしてこの絶縁シート９０の軸方向上側には、シールド板１００が例えば接着により固定されている。このシールド板１００は、ステータ８０とロータマグネット間から漏洩する磁束を防ぐために配置されている。このシールド板１００にステンレス鋼やメッキ鋼板等の耐蝕性の優れた鋼板を使用することで、あらゆる環境下において信頼性の高いスピンドルモータを提供することができる。
【００４３】
また絶縁シート８０は、シールド板１００が導電性であるため、巻線８３とシールド板１００との短絡を防止するために配置されている。そのため、シールド板１００のステータ８０を覆う部分全てに配置する必要がある。
【００４４】
そしてシールド板１００の軸方向上側には、ロータハブ４０の載置面４２には記録ディスク１１０が載置される。この記録ディスク１１０を両側より挟むようにして磁気ヘッド１２０が摺動可能に配置される。
【００４５】
＜絶縁シートについて＞
図３は絶縁シート９０の上面図および断面図を示している。図３ａ）は上面図であり、ｂ）はＸ−Ｘ断面図である。ｃ）はｂ）の絶縁シート９０を折り曲げた際の断面図である。またａ）における点線は折り返し線を示している。ｃ）の矢印は折り曲げ方向を示している。
【００４６】
図３のａ）を参照して、絶縁シート９０は略円環形状の可撓性を有する部材である。絶縁シート９０の円環部９１の外周縁一部には半径方向外側に延びる外側突部９２が形成される。そしてこれと対向するように内周縁には半径方向内側に延びる内側突部９３が形成されている。この内側突部９３の側面から円環部９１の内周縁までの距離と外側突部９２から円環部９１の内周縁までの距離はほぼ同等である。
【００４７】
円環部９１の内周縁と内側突部９３との交差部９４は内周縁が半径方向外側に凹形状となっている。これにより内側突部９３を点線の折り返し線に沿って半径方向外側に折り曲げても凹形状によって円環部９１の内周縁と内側突部９３とは途切れているので、円環部９１が撓み等の影響を受けることがなくなる。したがって、円環部９１の撓み等による高さ増加を生じることがなく、薄型モータでは好適である。
【００４８】
外側突部９２と内側突部９３を結ぶ面上であり、円環部９１の外周縁に位置する部分には、ステータ８０の巻線８３を引き出すための略楕円状の開口穴９５が形成されている。そして外側突部９２には巻線８３をベース６０側に向わせる孔９６が形成されている。
【００４９】
これら開口穴９５と孔９６とにより巻線８３は絶縁シート８０の開口穴９５の下側より引き出され、外側突部９２の上面を通り、孔９６に挿入されていくので巻線８３とベース７０との接触がなく、巻線８３とベース７０との絶縁を図ることができる。
【００５０】
図３のｂ）を参照して、外側突部９２の上面には粘着剤９７が塗布されている。そして図３のｃ）を参照して、内側突部９３を半径方向外側に折り曲げることにより、開口穴９５および孔９６は内側突部９３によって覆われるので、巻線８３は絶縁シート９０の軸方向上側に配置されるシールド板１００からも絶縁を図ることができる。
【００５１】
また内側突部９３によって外側突部９２を覆うことによって外気から遮断されるので、あらゆる使用環境下に対して高い信頼性を保持することができる。
【００５２】
この絶縁シート９０の素材は、難燃性ポリエステルである。この素材は他の素材と比較して安価であり、絶縁性も優れている。
【００５３】
絶縁シート９０の外側突部９２を覆う形状において、内側突部９３のみに限定することなく、外側突部９２に引かれる巻線８３を完全に覆うことができる形状であればよい。例えば、図４ａ）のように外側突部９２の横側に覆うための面９８が形成されてもよい。同様に図４ｂ）のように外側突部９２の更に半径方向外側に覆うための面９９が形成されてもよい。ここで図中の矢印は各面部９８、９９の折り曲げ方向を示し、そしてａ）、ｂ）ともに有する点線は折り目を示している。
【００５４】
しかしながら、図４ａ）およびｂ）のような形状は、ベース６０と外側突部９２との固定の際にこれらの面９６および９７が邪魔をしてしまい作業性がよくない。また半径方向外側に形成してしまうと全体的な絶縁シート９０の面積が大きくなってしまい、取り数が確保できず、単価が高くなってしまう。内側突部９３は絶縁シート９０の面積を大きくさせないために取り数が確保でき、単価を安くすることができる。
【００５５】
また図５のように絶縁シート９０の円環部９１の一部に完全な切れ目９１aを設けることにより、この切れ目９１aが絶縁シート９０をステータ８０に取付ける際に発生する可能性のあるシワおよび撓みを吸収することができる。これにより、この絶縁シート９０の軸方向上側に固定されるシールド板１００の高さ変動がなくなるので、シールド板１００が磁気ヘッド１２０と接触する可能性がなくなり、信頼性の高いスピンドルモータを提供することができる。
【００５６】
＜ステータ８０、絶縁シート９０、シールド板１００の組立工程＞
図６乃至図９はステータ８０に絶縁シート９０とシールド板１００とを張りつける工程を示した図である。図６はベース７０にモータおよびステータ８０を取付けた状態を示す図であり、図７はステータ８０の上に絶縁シート９０を固定した図であり、図８は絶縁シート９０の内側突部９３を折り曲げた図であり、図９は絶縁シート９０の上にシールド板１００を固定した図である。
【００５７】
図６を参照して、ベース７０には、絶縁シート９０の外側突部９２を収納する凹部６１が設けられている。この凹部７１には、外側突部９２の孔９６と対応した位置に、貫通穴７２が設けられている。そしてこの貫通穴７２を通ったベース７０の裏側には、ＦＰＣ（図示せず）が固定されており、外部との電気的接続を可能にしている。
【００５８】
図７を参照して、絶縁シート９０の外側突部９２がベース７０の凹部７１に収容されるようにしてステータ８０の軸方向上側に例えば接着剤にて固定される。そして開口穴９５よりステータ８０の巻線８３を引き出す。この開口穴９５は、周方向に長く形成されているので、周方向に配置されるステータ８０の異なるティース９１から引き出される巻線８３を絶縁シート９０の上に引き出す作業を容易に行うことができ、巻線８３の引き出しによる巻線８３のコーティングのはがれ等の欠損を防ぐことができる。よって、特に通電の相が多い場合に好適である。そしてこの巻線８３を絶縁シート９０の外側突部９２の上を通らせ孔９６に挿通し、ＦＰＣ側に引き出す。
【００５９】
図８を参照して、内側円筒部９３を半径方向外側に折り曲げて開口穴９５、孔９６および外側突部９２を覆う。外側突部９２の全体に粘着剤９６が塗布されているので、内側突部９３を折り曲げて、抑えるのみで完全に固着させることができる。
【００６０】
図９を参照して、絶縁シート９０の軸方向上側にシールド板１００を例えば接着により固定する。そして、ＦＰＣと巻線８３とを例えば半田にて接続する。
【００６１】
＜記録ディスク駆動装置＞
本発明に係る記録ディスク駆動装置１の実施例の一形態に関して図１０を参照して説明する。図１０は記録ディスク駆動装置１の断面図である。
【００６２】
記録ディスク駆動装置１は、矩形状をした筐体２からなり、筐体２の内部は、塵・埃等が極度に少ないクリーンな空間を形成しており、その内部には、情報を記録する円板状のハードディスク３が装着されたスピンドルモータ４が配設されている。
【００６３】
また、筐体２の内部には、ハードディスク３に対して情報を読み書きするヘッド移動機構５が配置され、このヘッド移動機構５は、ハードディスク３上の情報を読み書きする磁気ヘッド５ａ、この磁気ヘッド５ａを支えるアーム５ｂおよび磁気ヘッド５ａおよびアーム５ｂをハードディスク３上の所要の位置に移動させるアクチュエータ部５ｃにより構成される。
【００６４】
このような記録ディスク駆動装置１のスピンドルモータ４として、本願発明のスピンドルモータを適用することで、十分な機能を確保した上で記録ディスク駆動装置１の小型且つ薄型化を実現できると共に、信頼性並びに耐久性の高い記録ディスク駆動装置を提供することができる。
【００６５】
以上、本発明に係る実施例について記述したが、本発明はこれに限定されることなく種々の変形が可能である。例えば、本発明の図５の絶縁シート９０には円環部９１に円環部９１を完全に離間した切れ目９１ａがあるが、これに限定することなく、シワを取ることができる程度の切れ目があればよい。また切れ目９１ａの位置は円環部９１にあればよく、特定の位置には限定されない。また本発明の実施例では、軸受構造が流体軸受であったがこれに限定することなく、ボールベアリング等の各種軸受でもよい。
【図面の簡単な説明】
【００６６】
【図１】本発明の実施例に係るスピンドルモータの一形態を示した模式断面図である
【図２】図１のステータ付近の拡大図である
【図３】ａ）は本発明の絶縁シートの上面図であり、ｂ）はａ）のＸ−Ｘ断面図であり、ｃ）はｂ）を折り曲げた際の図である
【図４】本発明の絶縁シートの他の実施例である
【図５】本発明の絶縁シートの他の実施例である
【図６】本発明のスピンドルモータの絶縁シートを固定する前の上面図である
【図７】本発明のスピンドルモータの絶縁シートを固定した後の上面図である
【図８】本発明のスピンドルモータの絶縁シートを折り曲げた際の上面図である
【図９】本発明のスピンドルモータのシールド板を固定した後の上面図である
【図１０】本発明に係る記録ディスク駆動装置の模式断面図である
【図１１】従来例に係るスピンドルモータの上面図である
【符号の説明】
【００６７】
１０    スリーブ
２０    ハウジング
３０    スラストプレート
４０    ロータハブ
５０    キャップ
６０    ロータマグネット
７０    ベース
８０    ステータ
８１    ティース
８２    コアバック
８３    巻線
９０    絶縁シート
９１    円環部
９１ａ  切れ目
９２    外側突部
９３    内側突部
９４    交差部
９５    開口穴
９６    孔
９７    粘着部
１００  シールド板
１１０  記録ディスク
１２０  磁気ヘッド
【図１】
2006223041.tif 000003
【図２】
2006223041.tif 000004
【図３】
2006223041.tif 000005
【図４】
2006223041.tif 000006
【図５】
2006223041.tif 000007
【図６】
2006223041.tif 000008
【図７】
2006223041.tif 000009
【図８】
2006223041.tif 000010
【図９】
2006223041.tif 000011
【図１０】
2006223041.tif 000012
【図１１】
2006223041.tif 000013